(57)【要約】      （修正有）【課題】封印シールを用いなくても、ＲＯＭの改竄がされたことを容易に判別すること。【解決手段】パチスロ内部に設けられると共に、遊技用プログラムを記憶したＲＯＭ３１が取り付けられたＲＯＭ専用基板３２を収納し、当該基板収納後、収納口を閉塞する蓋体２５ｂを備えたメイン基板収納ケース２５と、メイン基板収納ケース２５内に設けられる箱部４０と、箱部４０の閉塞板４２に形成された通し孔４２ｂと、メイン基板収納ケース２５の蓋体２５ｂに形成され、蓋体２５ｂが基板収納ケース２５の収納口を閉塞すると箱部４０の通し孔４２ｂに対向する貫通孔２５ｂ１と、蓋体２５ｂの貫通孔２５ｂ１と箱部４０の通し孔４２ｂとに蓋体２５ｂの側から挿通されて蓋体２５ｂおよび箱部４０を繋ぐ橋絡部材４４有し、挿通後これらの孔から引き抜かれると、橋絡部材本体４５から分離する分離部４６を有することを特徴とする遊技機における基板封止構造。【選択図】  図３
2006247156.tif 000002
【特許請求の範囲】
【請求項１】
遊技機内部に設けられると共に、遊技実行中に所定条件が満たされた場合に遊技状態を遊技者にとって有利な特別遊技状態とする遊技用プログラムを記憶した記憶媒体が取り付けられた基板を収納し、基板収納後、収納口を閉塞する蓋体を備えた基板収納ケースと、
この基板収納ケース内に設けられる箱部と、
この箱部の壁面に形成された通し孔と、
前記蓋体に形成され、当該蓋体が前記基板収納ケースの収納口を閉塞すると前記箱部の通し孔に対向する貫通孔と、前記蓋体の当該貫通孔と前記箱部の通し孔とに前記蓋体の側から挿通されて前記蓋体および前記箱部を繋ぐ橋絡部材とを有し、
この橋絡部材は、前記貫通孔及び通し孔に一旦挿通されるとその抜けが防止されるが、挿通後これらの孔から引き抜かれると、前記箱部の通し孔に挿通されている部分であって橋絡部材本体から分離する分離部を有することを特徴とする遊技機における基板封止構造。
【請求項２】
前記橋絡部材は、棒状体であって、前記分離部を前記橋絡部材本体と繋ぐ括れ部を有することを特徴とする請求項１に記載の遊技機における基板封止構造。
【請求項３】
前記橋絡部材のうち前記分離部が設けられている側と反対の側には、当該橋絡部材を前記貫通孔及び通し孔に挿通すると、前記蓋体の貫通孔の入り口を閉塞する栓部を有することを特徴とする請求項１又は２に記載の遊技機における基板封止構造。
【請求項４】
前記橋絡部材は、これが引き抜かれると前記分離部が前記橋絡部材本体から容易に分離する程度に前記括れ部の強度が設定されていることを特徴とする請求項１〜３のいずれかに記載の遊技機における基板封止構造。
【請求項５】
前記箱部は、基板収納ケースの一部分として一体成型されると共に前記蓋体のある側で開く開口を有し、当該開口はこれを閉じる閉塞板で閉じられ、当該閉塞板はスナップ結合により前記箱部と結合されていることを特徴とする請求項１〜４のいずれかに記載の遊技機における基板封止構造。
【請求項６】
前記閉塞板で前記箱部の開口を閉じた状態において、前記閉塞板と前記箱部との封じ目にあたる境界部分を封印する封印部材を有することを特徴とする請求項５に記載の遊技機における基板封止構造。
【請求項７】
前記箱部は、透光性を有する透明部材からなることを特徴とする請求項５又は６に記載の遊技機における基板封止構造。
【請求項８】
請求項５〜７のいずれかに記載の基板封止構造を用いて基板を封止する方法であって、前記橋絡部材の分離部を着色したものを異なる色にて複数本用意し、前記基板収納ケースの内部の検証、又は同ケースに収納されている前記基板若しくは前記基板に設けられる前記記憶媒体を含む回路構成部材の交換を行うときに、前記橋絡部材を引き抜いて前記蓋体と前記箱部との繋がりを解いて前記蓋体を開き、前記基板収納ケースに収納されている前記記憶媒体の改竄や前記基板の取り替えがされていないことの検証後、又はケースに収納されている前記基板若しくは前記基板に設けられる前記記憶媒体を含む回路構成部材の交換後、交換前とは別色の分離部を有する橋絡部材を用いて、前記蓋体と前記箱部とを再度繋ぐことを特徴とする遊技機における基板封止方法。
【請求項９】
前記閉塞板で前記箱部の開口を閉じた状態において、前記閉塞板と前記箱部との封じ目にあたる境界部分を封印部材で封印することを特徴とする請求項８に記載の遊技機におけ
る基板封止方法。
【発明の詳細な説明】
【技術分野】
【０００１】
本発明は、遊技機における基板の封止技術に関する。
【背景技術】
【０００２】
パチンコ機やパチンコスロットでは、遊技実行中に所定条件を満たすと遊技者にとって有利な特別遊技状態である大当たりとなり、遊技球やメダル等の遊技媒体を多量に獲得できる。遊技媒体は、種々の景品と交換できるため、遊技者は大当たり獲得を目指す。
大当たりになると、遊技機に組み込まれた可変表示装置に各種図柄の変動やキャラクターの出現により実行される様々な演出が表示される。
【０００３】
可変表示装置に表示される演出は、遊技機内部に実装された制御装置によって制御されるが、制御装置は、可変表示装置への演出の表示制御だけでなく、大当たりを引き当てるための大当たり抽選プログラムを実行する。大当たり抽選プログラムは、電子的制御に基づいて特定の乱数を引き当てた場合に大当たりとなるように設定されたプログラムである。
【０００４】
また、遊技機には各種電飾やスピーカが取り付けられているが、制御装置は、これらの電飾を光らせたり、演出に合わせて鳴り響く効果音をスピーカから出したりするといった制御も行う。そのために制御装置には、基本処理装置としてのＣＰＵ（Ｃｅｎｔｒａｌ  Ｐｒｏｃｅｓｓｉｎｇ  Ｕｎｉｔ）と、ＣＰＵでの処理に用いられるデータを一時記憶するＲＡＭ（Ｒａｎｄｏｍ  Ａｃｃｅｓｓ  Ｍｅｍｏｒｙ）と、ＣＰＵにて処理する前記大当たり抽選プログラムを含む各種プログラムその他のプログラムを記憶したＲＯＭ（Ｒｅａｄ  Ｏｎｌｙ  Ｍｅｍｏｒｙ）とが基板上に備えられている。そして、ＣＰＵは、ＲＡＭに記憶されているデータやＲＯＭに記憶されているプログラムを必要に応じて読み出すことで、各種制御を実行する。
【０００５】
ところで既述のように、大当たりを引き当てると種々の景品と交換できるため、大当たりが連続するように改竄された大当たり抽選プログラムを記憶した不正なＲＯＭに基板ごと取り替えられてしまうといった事態が生じた。
【０００６】
そこで、このような不正を防止するために、後述する特許文献では、大当たり抽選プログラムの改竄防止技術について開示する。
これらの文献によれば、ＲＯＭが取り付けられている基板を遊技機本体に固定されるケースに収納した上でさらにケースや基板をシールで封印し、不正行為があっても容易にわかるようにしたり、あるいはネジその他の螺合手段によりケースから基板を取り外せないようにしたりする技術が開示されている。
【０００７】
しかし、印刷技術が発達した今日では、封印用のシール（封印シール）は簡単に偽造でき、封印シールを剥がした上から偽の封印シールを貼り付ければ、基板を取り外した痕跡を隠すことができてしまう。また、螺合手段を用いて基板の取外しを防止する場合、構造が複雑になる。
【０００８】
一方、基板やケースをリサイクルする場合にはそれまで付いていた封印シールを剥離するが、封印シールには粘着剤が付いているため、剥離するとその痕跡が基板やケースに残ってしまう。このためリサイクルする場合は基板やケースに残っている粘着剤をきれいに落とす必要がある。また螺合手段を用いてケースから基板の取り外しができないようにされたものにあっては、その構造が複雑であるからケースと基板とを分離し難いため、リサ
イクル効率が悪い。
【特許文献１】特開平９−２５３２８０号公報
【特許文献２】特開２００１−７０５１１号公報
【特許文献３】特開２００２−２８２４１５号公報
【特許文献４】特開２００３−２１０６６５号公報
【特許文献５】特開２００３−２３６２０３号公報
【発明の開示】
【発明が解決しようとする課題】
【０００９】
本発明は、上記課題を解決するためになされたものであり、その解決しようとする課題は、封印シールを用いなくても、遊技用のプログラムが記憶されているＲＯＭやこれが取り付けられている基板が不正に取り外されたことを容易に判別でき、さらにはケースと基板のリサイクルを行うに好適な技術を提供することにある。
【課題を解決するための手段】
【００１０】
本発明は、前記課題を解決するため、以下の手段を採用した。
すなわち本発明の遊技機における基板封止構造は、遊技機内部に設けられると共に、遊技実行中に所定条件が満たされた場合に遊技状態を遊技者にとって有利な特別遊技状態とする遊技用プログラムを記憶した記憶媒体が取り付けられた基板を収納し、基板収納後、収納口を閉塞する蓋体を備えた基板収納ケースと、この基板収納ケース内に設けられる箱部と、この箱部の壁面に形成された通し孔と、前記蓋体に形成され、当該蓋体が前記基板収納ケースの収納口を閉塞すると前記箱部の通し孔に対向する貫通孔と、前記蓋体の当該貫通孔と前記箱部の通し孔とに前記蓋体の側から挿通されて前記蓋体および前記箱部を繋ぐ橋絡部材とを有し、この橋絡部材は、前記貫通孔及び通し孔に一旦挿通されるとその抜けが防止されるが、挿通後これらの孔から引き抜かれると、前記箱部の通し孔に挿通されている部分であって橋絡部材本体から分離する分離部を有することを特徴とする。
【００１１】
したがって、橋絡部材を引き抜くと、分離部が橋絡部材本体から分離される。遊技場にて遊技機が設置されている状態で橋絡部材の引き抜きが正当に行われる場合を、基板収納ケースに収納されている記憶媒体の改竄や前記基板の取り替えが行われていないか否かを検証する場合のみと定めておけば、検証の際にすでに橋絡部材が引き抜かれた状態にあれば、何者かによって不正が行われたことが判明する。
【００１２】
また、橋絡部材の引き抜きにより不正を発見できるので、従来使用されていたシールは使用しないで済む。
さらに、螺合手段によりケースから基板を取り外せないようしたものではないので、リサイクルを行うにあたりケースから基板を取り外すことが容易である。
【発明の効果】
【００１３】
したがって、本発明によれば、遊技用のプログラムが記憶されているＲＯＭやこれが取り付けられる基板が不正に取り外されたことを封印シールを用いなくても容易に判別できる。また、リサイクルを行うのに好適である。
【発明を実施するための最良の形態】
【００１４】
以下、本発明に係る遊技機における基板封止構造および基板封止方法について図面を参照しながら説明する。
図１に示すように、遊技機であるパチンコスロット１０は、筐体１１には上扉１２ａと下扉１２ｂとからなる前面扉を有する。各扉１２ａ，１２ｂは、それぞれ一対の扉ヒンジ１６，１６（図面では下扉１２ｂのヒンジ１６のみ示す。）により回転自在に取り付けられている。
【００１５】
上扉１２ａには、４個の表示窓１３が設けられており、筐体１１内に設けられるリールユニット２６の第１リール１４ａ、第２リール１４ｂ、第３リール１４ｃ及びサブリール１５が各々の表示窓１３を介して検証できる。各リールには多数の図柄が表示されている。そして一つの表示窓１３から１リールにつき３個の図柄を検証することができ、表示窓１３に記した図示しない所定の入賞有効ライン上で第１〜第３リールが所定図柄で揃うことにより、いわゆる大当たりが発生する。
【００１６】
下扉１２ｂには、ゲームの開始時に操作される１枚ベットボタン，ＭＡＸベットボタン，ペイアウトボタン，メダルを投入するためのメダル投入口，メダルベットが行われた後に操作される押下式スタートレバー，押下式スタートレバーの押下操作により回転し始めるリールの動作を停止させるための第１〜第３ストップボタン等が設けられている。さらに、下扉１２ｂの下部には、メダル受け皿，配当メダル払い出し口，灰皿等が設けられている。
【００１７】
また、筐体１１内には、主制御部である電子回路基板であるメイン基板２４が、メイン基板収納ケース２５に収納された状態で、リールユニット２６よりも奥に取り付けられている。リールユニット２６は支持枠２７により筐体１１の内壁に着脱自在に取り付けられる。
【００１８】
メイン基板２４は、パチンコスロット１０の遊技実行中に所定条件が満たされた場合に遊技状態を遊技者にとって有利な特別遊技状態（大当たり）とする遊技用プログラムを記憶した記憶媒体であるＲＯＭ３１が実装されているＲＯＭ専用基板３２やＣＰＵ３３などの各種回路部品が実装される。ＣＰＵ３３は、ＲＯＭ３１に記憶されている情報を適宜読み出して、その情報に基づいてパチンコスロット１０の作動を制御する。
【００１９】
メイン基板収納ケース２５は、図２に示すように、ケース本体２５ａと、ケース本体２５ａに対しケースヒンジ２９を介して回動可能に取り付けられる蓋体２５ｂとからなる。ケース本体２５ａおよび蓋体２５ｂは、透光性を有するＡＢＳ樹脂からできている。ケース本体２５ａには、その底部２５ａ１にメイン基板２４が取り付けられている。
【００２０】
また、図３に示すようにメイン基板２４の実装面２４ａには、ＲＯＭ専用基板３２が、起立した状態で、ＣＰＵ３３はメイン基板２４に平行な状態で（図２参照）取り付けられている。なお符号３２ｃは、ＲＯＭ専用基板３２のコネクタであり、符号２４ｃはメイン基板２４のコネクタであり、両コネクタ介して、ＲＯＭ専用基板３２とメイン基板２４とが電気的に接続される。
【００２１】
さらに、底部２５ａ１には、メイン基板収納ケース２５の一部分として一体成型された箱部４０がメイン基板２４におけるＲＯＭ専用基板３２の設置場所近傍に形成されている。箱部４０は、前記蓋体２５ｂのある側に開口４０ａを有し（図３参照）、開口４０ａはこれを閉じる閉塞板４２で閉じられている。
【００２２】
閉塞板４２は、スナップ結合（ぱっちん止め）により箱部４０と結合され、一旦閉塞すると閉塞板４２をこじ開けなければ開閉できないようにされている。そのために閉塞板４２には、その内面に縦断面で先細り形状（弾性を有する鏃形状）をした鏃状突起４２ａ，４２ａを有する。なお鏃状突起４２ａ，４２ａは、閉塞板４２の内面における対向した位置に離れて形成されている。
【００２３】
箱部４０は、透光性を有するＡＢＳ樹脂からできているケース本体２５ａと一体成型されているので、箱部４０は内部が透けて見える。なお、閉塞板４２も同様のＡＢＳ樹脂製
であってもよい。箱部４０は、底部２５ａ１から植立する方形な囲繞壁４０ｂ（以下周壁４０ｂ）によって画成される。周壁４０ｂは一縦断面で見てわかるように、その内部には細長い空洞を有する（図４参照）。当該空洞内天井部には、閉塞板４２で箱部４０の開口４０ａを閉じたときに、閉塞板４２の鏃状突起４２ａ，４２ａが無理入れされる嵌合孔４０ｃ，４０ｃが形成されている。また嵌合孔４０ｃ，４０ｃの周囲には、前記空洞内に突出する鏃状突起４２ａの内面と係合する係合突起４３が形成されている。
閉塞板４２で箱部４０の開口４０ａを閉じると、鏃状突起４２ａと係合突起４３とが係合され、強固なスナップ結合になる。
【００２４】
閉塞板４２の中央には、次に述べる橋絡部材４４の先端部が通される通し孔４２ｂが鏃状突起４２ａ，４２ａの間に形成されている。通し孔４２ｂは、橋絡部材４４の挿通方向に先細りにされた偏平孔である。
【００２５】
橋絡部材４４は、蓋体２５ｂに一端で固定され他端で自由とされ、当該自由な他端（先端）が前記箱部４０の通し孔４２ｂに挿通されてＲＯＭ専用基板３２および箱部４０を繋ぐための柔軟性に優れた合成樹脂からなる棒状体である。橋絡部材４４は、その前記自由な他端の側に、当該他端が箱部４０の通し孔４２ｂに挿通されると抜けを防止するが当該挿通状態で引き抜かれると橋絡部材本体４５から分離する球状の分離部４６を有する。すなわち球状をした分離部４６は、通し孔４２ｂよりも大径である。また橋絡部材４４の前記一端には、蓋体２５ｂの外表面に係止する偏平状な栓部４７が設けられている。
なお橋絡部材本体４５とは、分離部４６と栓部４７との間の部位をいうものとする。
【００２６】
そして、橋絡部材本体４５のうち分離部４６の近傍には、橋絡部材本体４５と分離部４６とを繋ぐ括れ部４８を有する。括れ部４８の強度は、橋絡部材４４を箱部４０の通し孔４２ｂに通す取り付け作業を行う場合に何らかの引っ張り力が括れ部４８に加わった程度では破断しない程度の強度を有する。
【００２７】
また蓋体２５ｂには、橋絡部材４４をその自由端側から通す貫通孔２５ｂ１が設けられると共に、この貫通孔２５ｂ１に橋絡部材４４を通すと、栓部４７により貫通孔２５ｂ１が閉塞されるようになっている（図３，図４参照）。また、蓋体２５ｂを閉塞したときに貫通孔２５ｂ１と閉塞板４２の通し孔４２ｂとは同一軸線上で対向するようになる。
【００２８】
そして、メイン基板収納ケース２５の内部の検証、又は同ケース２５に収納されているＲＯＭ専用基板３２若しくはＲＯＭ専用基板３２に設けられるＲＯＭ３１を含む回路構成部材の交換を行う場合のために、橋絡部材４４の分離部４６を着色したものを異なる色にて複数本用意する。当該検証や交換を行うときには、パチンコスロット１０の上扉１２ａを開き、筐体１１内に設けられるリールユニット２６を取り除き、リールユニット２６よりも奥に取り付けられているメイン基板収納ケース２５を筐体から取り外す。そして取り外したメイン基板収納ケース２５から橋絡部材４４を引き抜いて蓋体２５ｂと箱部４０との繋がりを解き、蓋体２５ｂを開いて、前記メイン基板収納ケース２５に収納されているＲＯＭ３１の改竄やＲＯＭ専用基板３２の取り替えがされていないことの検証後、又はメイン基板収納ケース２５に収納されているＲＯＭ専用基板３２若しくはＲＯＭ専用基板３２に設けられるＲＯＭ３１を含む回路構成部材の交換後、検証や交換前とは別色の分離部を有する橋絡部材４４を用いて、蓋体２５ｂと箱部４０とを再度繋ぎ、その後はメイン基板収納ケース２５を筐体１１に取り外した場合と逆の順序で、メイン基板収納ケース２５およびリールユニット２６を筐体１１に取り付け、上扉１２ａを閉じてパチンコスロット１０の稼働準備が調う。
【００２９】
なお、メイン基板収納ケース２５のケース本体２５ａに収納されたメイン基板２４は、蓋体２５ｂを閉じた後、図示しないかしめ部材によってケース本体２５ａに封印固定する
と不正行為防止には一層有効である。
【００３０】
しかして、橋絡部材４４を引き抜くと、分離部４６が橋絡部材本体４５から分離される。パチンコスロット１０が遊技場に設置されている状態で橋絡部材４４の引き抜きが正当に行われる場合を、前記検証や交換を行う場合のみと定めておけば、当該検証や交換の際にすでに橋絡部材４４が引き抜かれた状態にあれば、何者かによって不正が行われたことが判明する。
【００３１】
橋絡部材４４の引き抜きにより不正を発見できるので、従来使用されていたシールは使用しないで済む。但し、閉塞板４２で箱部４０の開口４０ａを閉じた状態において、閉塞板４２と箱部４０との封じ目にあたる境界部分を封印する封印部材である封印シール５１を貼着すると不正行為の防止はさらに効果的である。
また、螺合手段によりケースから基板を取り外せないようしたものではないので、ケースから基板を取り外すことも容易である。
【００３２】
箱部４０は、基板収納ケース２５の一部分として一体成型されるので、箱部４０を基板収納ケース２５に別途配置する必要がない。このためそれだけ手間が省ける。
さらに、箱部４０の開口は閉塞板４２で閉じられるが、閉塞板４２はスナップ結合により箱部４０と結合されるので両者の組み付け作業がワンタッチでできる。
【００３３】
さらにまた、箱部４０は、透光性を有するから橋絡部材４４の引き抜きが行われると、分離部４６が箱部４０に入っていることが一目瞭然である。しかも、橋絡部材４４の分離部４６を着色されており、当該分離部４６が異色に着色された橋絡部材４４を複数用意しておき、ＲＯＭ３１の改竄やＲＯＭ専用基板３２の取り替えが行われていないか否かを検証する場合、又はメイン基板収納ケース２５に収納されているメイン基板２４若しくはメイン基板２４に設けられるＲＯＭ３１を含む回路構成部材の交換を行う場合毎に、当該異色の橋絡部材４４を使用すれば、橋絡部材４４の分離部４６が何色であるかは関係者以外には知らされていないため、偽の橋絡部材４４が不正に使用されたとしても容易に不正があったと検証できる。また、点検者が管理している数と実際に箱部４０に収容される分離部４６の数とが異なり、点検者が管理している数よりも箱部４０に収容される分離部４６の数の方が多ければ、基板収納ケース２５に対して不正が行われたと判断できる。
【００３４】
尚、本発明は、上述の図示例にのみ限定されるものではなく、本発明の要旨を逸脱しない範囲内において種々変更を加え得ることは勿論である。
例えば箱部４０の形成箇所は、この実施の形態ではメイン基板２４におけるＲＯＭ専用基板３２の設置場所近傍であるがこれに限定されるものではない。
【００３５】
また、橋格部材４４によって封止された封印解除を行うにあたっては、基板収納ケースの蓋体２５ｂの開放に伴い分離部４６を積極的に分離することにしており、封印解除状態とするにあたり、橋格部材４４は使い捨て感覚で使用されるので手間が掛からない。
【００３６】
封印解除に伴って分離され、箱部４０に収容されている分離部４６を取り出すには、閉鎖板４２を取外さなければならない。しかし、閉鎖板４２は、鏃状突起４２ａの内面と係合突起４３とで固着状態となるように係止されているので、それだけでも閉鎖板４２を取り外すのは難しいが、それに加えて、周壁４０ｂによって形成される空洞内に指などを進入させにくい構造とすれば、取り外し不能となる。そして、無理に閉塞板４２を取外そうとしたならば、この閉塞板４２が破損してその痕跡を残せるようにする。
【００３７】
尚、鏃状突起４２ａの軸部に括れ部を設けておけば、閉塞板４２の取り外し時にこの括れ部の破損が容易に行われ痕跡を残せ易くなり、これによっても不正行為が行われたこと
を確認できる。
また、栓部４７の外表面に特殊な刻印を施すことで、橋絡部材４４の不正製造を防止することもできる。
【図面の簡単な説明】
【００３８】
【図１】本発明に係る基板封止構造が適用されるパチンコスロットの外観を示す斜視図である。
【図２】メイン基板収納ケースをその蓋体を開いた状態を示す斜視図である。
【図３】図２の要部拡大図である。
【図４】箱部の縦断面図である。
【符号の説明】
【００３９】
１０  パチンコスロット
１１  筐体
１２ａ  上扉
１２ｂ  下扉
１３  表示窓
１４ａ  第１リール
１４ｂ  第２リール
１４ｃ  第３リール
１５  サブリール
１６  扉ヒンジ
２４  メイン基板
２４ａ  実装面
２４ｃ  メイン基板のコネクタ
２５  メイン基板収納ケース
２５ａ  ケース本体
２５ａ１  底部
２５ｂ  蓋体
２６  リールユニット
２７  支持枠
２９  ケースヒンジ
３１  ＲＯＭ
３２  ＲＯＭ専用基板
３２ｃ  ＲＯＭ専用基板のコネクタ
４０  箱部
４０ａ  開口
４０ｂ  周壁
４０ｃ  嵌合孔
４２  閉塞板
４２ａ  鏃状突起
４２ｂ  通し孔
４２ｃ  仮止部
４３  係合突起
４４  橋絡部材
４５  橋絡部材本体
４６  分離部
４７  栓部
４８  括れ部
５１  封印シール（封印部材）
【図１】
2006247156.tif 000003
【図２】
2006247156.tif 000004
【図３】
2006247156.tif 000005
【図４】
2006247156.tif 000006